(57)【要約】【課題】検索過程を一目で確認でき、上、下位カテゴリ間の移動が自由であり、検索結果を速く且つ容易に得られる検索結果ディスプレイシステムを提供する。【解決手段】サーバー３０は、キーワードを用いてＷｅｂサイト２０を検索する検索モジュール３１と、検索結果を記憶する検索結果ＤＢ３２と、検索結果を検索結果ＤＢに記憶する検索結果記憶モジュール３３と、検索結果を端末機１０の画面にグラフィックでディスプレイするディスプレイモジュール３５とを有している。サーバー３０は、検索結果のうち重複するものを除去するフィルタリングモジュール３４をさらに有している。ディスプレイモジュール３５は、端末機１０の画面に多角形または円を配置させ、多角形の縁または円の円周上にｎ段階の、キーワードの意味に基づくカテゴリを表示し、多角形または円の内部に上位段階のカテゴリのうち選択されたカテゴリを階層的に表示する。【選択図】図２
2007066331.tif 000002
【特許請求の範囲】
【請求項１】
少なくとも一つ以上の端末機と、多数のＷｅｂサイトと、前記端末機を介して入力される少なくとも一つ以上のキーワードを用いて前記Ｗｅｂサイトまたは前記ＷｅｂサイトのＷｅｂページを検索して検索結果を前記端末機にディスプレイするサーバーと、前記端末機、前記Ｗｅｂサイト及び前記サーバーを相互連結する開放型ネットワークとを含む検索結果ディスプレイシステムにおいて、
前記サーバーは、
前記キーワードを用いて前記ＷｅｂサイトまたはＷｅｂページを検索する検索モジュールと、
前記検索モジュールによって検索された検索結果を記憶する検索結果ＤＢと、
前記検索モジュールによって検索された検索結果を前記検索結果ＤＢに記憶する検索結果記憶モジュールと、
前記検索結果ＤＢの検索結果を前記端末機の画面にグラフィックでディスプレイするディスプレイモジュールと、
前記検索結果ＤＢの検索結果のうち重複されるものを除去し、フィルタリングされた結果を前記検索結果ＤＢに再び記憶するフィルタリングモジュールとを有し、
前記ディスプレイモジュールは、前記端末機の画面に多角形または円を配置させ、多角形の縁または円の円周上にｎ段階の、上記キーワードの意味に基づくカテゴリを表示し、前記多角形または円の内部に上位段階のカテゴリのうち選択されたカテゴリを階層的に表示することを特徴とする検索結果ディスプレイシステム。
【請求項２】
前記ディスプレイモジュールは、前記多角形または円の内側に、前記多角形または円の直径の１／２より小さい直径を有する多角形または円形の他の図形を配置させ、前記他の図形の内部にキーワードを表示することを特徴とする請求項１に記載の検索結果ディスプレイシステム。
【請求項３】
前記ディスプレイモジュールは、前記ｎ段階カテゴリが最下位カテゴリの場合、前記ｎ段階カテゴリのうちいずれか一つのカテゴリが選択されると、前記カテゴリに該当するＷｅｂサイトのリストを補助窓の特定の部分にディスプレイすることを特徴とする請求項１または２に記載の検索結果ディスプレイシステム。
【請求項４】
前記ディスプレイモジュールは、前記Ｗｅｂサイトリストのうちいずれか一つのＷｅｂサイトが選択されると、前記Ｗｅｂサイトに該当する情報を前記補助窓の別の部分または他の補助窓にディスプレイすることを特徴とする請求項３に記載の検索結果ディスプレイシステム。
【請求項５】
端末機と、多数のＷｅｂサイトと、前記端末機を介して入力される少なくとも一つ以上のキーワードを用いて前記Ｗｅｂサイトまたは前記ＷｅｂサイトのＷｅｂページを検索して検索結果を前記端末機にディスプレイするサーバーと、前記端末機、前記Ｗｅｂサイト及び前記サーバーを相互連結する開放型ネットワークとを含み、検索結果を少なくとも一つ以上の前記端末機にディスプレイする検索結果ディスプレイシステムにおける検索結果ディスプレイ方法において、
ａ）前記サーバーが、前記キーワードを用いて前記ＷｅｂサイトまたはＷｅｂページを検索する検索段階と、
ｂ）前記検索段階ａ）で検索された検索結果を前記サーバーに記憶する検索結果記憶段階と、
ｃ）前記検索結果記憶段階ｂ）で記憶された検索結果を前記サーバーが、前記端末機の画面にグラフィックでディスプレイするディスプレイ段階とを含み、
前記検索結果記憶段階ｂ）の次に、前記サーバーが、当該サーバーに記憶された前記検索結果のうち重複するものを除去し、フィルタリングされた結果を前記サーバーに再び記憶するフィルタリング段階をさらに含み、
前記ディスプレイ段階ｃ）は、前記サーバーが、前記端末機の画面に多角形または円を配置させ、前記多角形の縁または円の円周上にｎ段階の、上記キーワードの意味に基づくカテゴリを表示し、前記多角形または円の内部に上位段階のカテゴリのうち選択されたカテゴリを階層的に表示する段階をさらに含むことを特徴とする検索結果ディスプレイ方法。
【請求項６】
前記ディスプレイ段階ｃ）は、前記サーバーが、前記多角形または円の内側に、前記多角形または円の直径の１／２より小さい直径を有する多角形または円形の他の図形を配置させ、前記他の図形の内部にキーワードを表示する段階をさらに含むことを特徴とする請求項５に記載の検索結果ディスプレイ方法。
【請求項７】
前記ディスプレイ段階ｃ）は、前記ｎ段階カテゴリが最下位カテゴリの場合、前記ｎ段階カテゴリのうちいずれか一つのカテゴリが選択されると、前記サーバーが、前記カテゴリに該当するＷｅｂサイトのリストを補助窓の特定の部分にディスプレイする段階をさらに含むことを特徴とする請求項５または６に記載の検索結果ディスプレイ方法。
【請求項８】
前記ディスプレイ段階ｃ）は、前記Ｗｅｂサイトリストのうちいずれか一つのＷｅｂサイトが選択されると、前記サーバーが、前記Ｗｅｂサイトに該当する情報を前記補助窓の別の部分または他の補助窓にディスプレイする段階をさらに含むことを特徴とする請求項７に記載の検索結果ディスプレイ方法。
【発明の詳細な説明】
【技術分野】
【０００１】
本発明は、検索結果ディスプレイシステム及び方法に関し、より詳細には検索結果をクライアントの端末機に表示する際にグラフィックで処理することにより、検索過程が一目で確認することができると共に、上、下位カテゴリ間の移動が自由であり、検索結果を速く且つ容易に得ることができる検索結果ディスプレイシステム及び方法に関する。
【背景技術】
【０００２】
一般に、ユーザはインタネット検索エンジンを介して所望のキーワードを検索する。最近、最も多く用いられているインタネット検索エンジンは例えば「Yahoo」、「AltaVista」、「Lycos」などである。このような検索エンジンは画一的なカテゴリシステムを使用する。これについて一例を挙げると、次の通りである。
【０００３】
まず、クライアントが特定の検索エンジンを介して韓国語
【外１】
【０００４】
2007066331.tif 000003
【０００５】
(「horse」または「language」と英訳される)というキーワードを入力すると、入力されたキーワードに対する検索結果が次のようにカテゴリ別にクライアントのブラウザに表示される。
【外２】
【０００６】
2007066331.tif 000004
【０００７】
従って、ユーザは前記韓国語
【外３】
【０００８】
2007066331.tif 000005
【０００９】
というキーワードの意味に基づいてカテゴリを選択した後、該当テキストを検索しなければならない。一方、前記カテゴリが大き過ぎて一画面にディスプレイできない場合には、ブラウザ上に備えられたスクロールを介して検索しなければならず、カテゴリの選定を間違えた場合には以前の画面に戻らなければならない。即ち、現行の検索エンジンのディスプレイ方法は、検索結果を１次元的に表示するので、以前の画面と次の画面との交替が不便である。
【００１０】
一方、前記検索エンジンとは異なるディスプレイ方法が、韓国公開特許特１９９９−００４８７１２号に「インタネット情報検索時の地図型分類検索方法」との題目で開示されているが、ここで図１に示されている。
【００１１】
図１はインタネットの地図型分類検索方法を説明するためのブラウザを示す。クライアントが検索したいキーワードを入力すると、ブラウザ上にキーワードを中心とした地域別、形態別、所蔵機関別などにカテゴリが分類されてディスプレイされる。従って、ユーザはデリスプされた前記カテゴリのうち特定のカテゴリを選択する。選択されたカテゴリは前記ブラウザと同様に一つのキーワードとして認識され、検索結果は前記選択されたカテゴリに関連付けられた他のカテゴリ別にディスプレイされる。
【特許文献１】韓国公開特許特１９９９−００４８７１２号
【発明の開示】
【発明が解決しようとする課題】
【００１２】
このような地図形分類検索方式は、特定のキーワードを中心としてカテゴリ別にディスプレイされるが、前記カテゴリのうちクリックされた一つのカテゴリがその後のブラウザとの連動関係を持たないため、検索の効率性が低下するという問題点を有する。また、このような検索方式は、各カテゴリのアクセス比率またはアクセス数がディスプレイされないため、活用頻度の低いサイトを不要にアクセスすることにより検索の所要時間が増大するという問題点を有する。
【００１３】
従って、本発明は、かかる従来の技術の問題点に鑑みて創案されたもので、その目的は、検索結果をクライアントの端末機に表示する際にグラフィックで処理することにより、検索過程を一目で確認することができると共に、上、下位カテゴリ間の移動が自由であり、検索結果を速く且つ容易に得ることができる検索結果ディスプレイシステム及び方法を提供することにある。
【課題を解決するための手段】
【００１４】
本発明の一面によれば、上記及び他の目的は、少なくとも一つ以上の端末機と、多数のＷｅｂサイトと、前記端末機を介して入力される少なくとも一つ以上のキーワードを用いて前記Ｗｅｂサイトまたは前記ＷｅｂサイトのＷｅｂページを検索して検索結果を前記端末機にディスプレイするサーバーと、前記端末機、前記Ｗｅｂサイト及び前記サーバーを相互連結する開放型ネットワークとを含む検索結果ディスプレイシステムにおいて、前記サーバーは、前記キーワードを用いて前記ＷｅｂサイトまたはＷｅｂページを検索する検索モジュールと、前記検索モジュールによって検索された検索結果を記憶する検索結果ＤＢと、前記検索モジュールによって検索された検索結果を前記検索結果ＤＢに記憶する検索結果記憶モジュールと、前記検索結果ＤＢの検索結果を前記端末機の画面にグラフィックでディスプレイするディスプレイモジュールとを有する検索結果ディスプレイシステムであり、前記サーバーは前記検索結果ＤＢの検索結果のうち重複されるものを除去し、フィルタリングされた結果を前記検索結果ＤＢに再び記憶するフィルタリングモジュールをさらに有し、前記ディスプレイモジュールは、前記端末機の画面に多角形または円を配置させ、多角形の縁または円の円周上にｎ段階の、上記キーワードの意味に基づくカテゴリを表示し、前記多角形または円の内部に上位段階のカテゴリのうち選択されたカテゴリを階層的に表示する検索結果ディスプレイシステムを提供することにより達成される。
【００１５】
また、前記ディスプレイモジュールは、前記多角形または円の内側に、前記多角形または円の直径の１／２より小さい直径を有する多角形または円形の他の図形を配置させ、前記他の図形の内部にキーワードを表示することもできる。
また、前記ディスプレイモジュールは、前記カテゴリのアクセス比率またはアクセス数と共に前記ｎ段階カテゴリを表示することもできる。
【００１６】
また、前記ディスプレイモジュールは、前記ｎ段階カテゴリが最下位カテゴリの場合、前記ｎ段階カテゴリのうちいずれか一つのカテゴリが選択されると、前記カテゴリに該当するＷｅｂサイトのリストを補助窓の特定の部分にディスプレイすることもできる。
【００１７】
また、前記ディスプレイモジュールは、前記Ｗｅｂサイトリストのうちいずれか一つのＷｅｂサイトが選択されると、前記Ｗｅｂサイトに該当する情報を前記補助窓の別の部分または他の補助窓にディスプレイすることもできる。
【００１８】
本発明の他の面によれば、端末機と、多数のＷｅｂサイトと、前記端末機を介して入力される少なくとも一つ以上のキーワードを用いて前記Ｗｅｂサイトまたは前記ＷｅｂサイトのＷｅｂページを検索して検索結果を前記端末機にディスプレイするサーバーと、前記端末機、前記Ｗｅｂサイト及び前記サーバーを相互連結する開放型ネットワークとを含み、検索結果を少なくとも一つ以上の前記端末機にディスプレイする検索結果ディスプレイシステムにおける検索結果ディスプレイ方法において、ａ）前記サーバーが、前記キーワードを用いて前記ＷｅｂサイトまたはＷｅｂページを検索する検索段階と、ｂ）前記検索段階ａ）で検索された検索結果を前記サーバーに記憶する検索結果記憶段階と、ｃ）前記検索結果記憶段階ｂ）で記憶された検索結果を前記端末機の画面にグラフィックでディスプレイするディスプレイ段階とを含み、前記検索結果記憶段階ｂ）の次に、前記サーバーが、当該サーバーに記憶された前記検索結果のうち重複するものを除去し、フィルタリングされた結果を前記サーバーに再び記憶するフィルタリング段階をさらに含み、前記ディスプレイ段階ｃ）は、前記サーバーが、前記端末機の画面に多角形または円を配置させ、前記多角形の縁または円の円周上にｎ段階の、上記キーワードの意味に基づくカテゴリを表示し、前記多角形または円の内部に上位段階のカテゴリのうち選択されたカテゴリを階層的に表示する段階をさらに含む検索結果ディスプレイ方法を提供する。
【００１９】
前記ディスプレイ段階ｃ）は、前記サーバーが、前記多角形または円の内側に、前記多角形または円の直径の１／２より小さい直径を有する多角形または円形の他の図形を配置させ、前記他の図形の内部にキーワードを表示する段階をさらに含むこともできる。
【００２０】
前記ディスプレイ段階ｃ）は、前記ｎ段階カテゴリが最下位カテゴリの場合、前記ｎ段階カテゴリのうちいずれか一つのカテゴリが選択されると、前記サーバーが、前記カテゴリに該当するＷｅｂサイトのリストを補助窓の特定の部分にディスプレイする段階をさらに含むこともできる。
【００２１】
前記ディスプレイ段階ｃ）は、前記Ｗｅｂサイトリストのうちいずれか一つのＷｅｂサイトが選択されると、前記サーバーが、前記Ｗｅｂサイトに該当する情報を前記補助窓の別の部分または他の補助窓にディスプレイする段階をさらに含むこともできる。
【００２２】
ここで、「端末機」とはコンピュータ類、またはセルラーホン、ＰＣＳホン、ＰＤＡ、ＩＭＴ−２０００端末機などのような携帯電話類、またはインタネットＴＶ類などを指す用語であって、インタネット網またはインタネット網に準ずる網への連結が可能なものをいう。代表的なインタネット網としては、例えば、いずれの位置でも端末機がサーバーと接続することが可能な「開放型ネットワーク」が挙げられるが、このようなインタネット網には有／無線インタネット網、有線電話網、無線電話通信網などまたはこれらの組み合せが含まれることもできる。
【発明の効果】
【００２３】
本発明に係る検索結果ディスプレイシステムは、以上のように、サーバーは、キーワードを用いてＷｅｂサイトまたはＷｅｂページを検索する検索モジュールと、前記検索モジュールによって検索された検索結果を記憶する検索結果ＤＢと、前記検索モジュールによって検索された検索結果を前記検索結果ＤＢに記憶する検索結果記憶モジュールと、前記検索結果ＤＢの検索結果を端末機の画面にグラフィックでディスプレイするディスプレイモジュールとを有し、前記サーバーは前記検索結果ＤＢの検索結果のうち重複されるものを除去し、フィルタリングされた結果を前記検索結果ＤＢに再び記憶するフィルタリングモジュールをさらに有し、前記ディスプレイモジュールは、前記端末機の画面に多角形または円を配置させ、多角形の縁または円の円周上にｎ段階の、上記キーワードの意味に基づくカテゴリを表示し、前記多角形または円の内部に上位段階のカテゴリのうち選択されたカテゴリを階層的に表示する構成である。
【００２４】
本発明に係る検索結果ディスプレイシステムは、以上のように、ａ）サーバーが、キーワードを用いてＷｅｂサイトまたはＷｅｂページを検索する検索段階と、ｂ）前記検索段階ａ）で検索された検索結果を前記サーバーに記憶する検索結果記憶段階と、ｃ）前記検索結果記憶段階ｂ）で記憶された検索結果を端末機の画面にグラフィックでディスプレイするディスプレイ段階とを含み、前記検索結果記憶段階ｂ）の次に、前記サーバーが、当該サーバーに記憶された前記検索結果のうち重複するものを除去し、フィルタリングされた結果を前記サーバーに再び記憶するフィルタリング段階をさらに含み、前記ディスプレイ段階ｃ）は、前記サーバーが、前記端末機の画面に多角形または円を配置させ、前記多角形の縁または円の円周上にｎ段階の、上記キーワードの意味に基づくカテゴリを表示し、前記多角形または円の内部に上位段階のカテゴリのうち選択されたカテゴリを階層的に表示する段階をさらに含む構成である。
【００２５】
それゆえ、検索結果をクライアントの端末機に表示する際にグラフィックで処理することにより、検索過程を一目で確認することができると共に、上、下位カテゴリ間の移動が自由であり、検索結果を速く且つ容易に得ることができるという効果を奏する。
【発明を実施するための最良の形態】
【００２６】
図２は本発明に係る検索結果ディスプレイシステムの構造を示す概略図である。
【００２７】
図２に示すように、本発明に係る検索結果ディスプレイシステムは、少なくとも一つ以上の端末機１０、多数のＷｅｂサイト２０、サーバー３０及びインタネット網４０から構成される。
【００２８】
前記Ｗｅｂサイト２０は端末機１０によって検索が要請される一つまたはそれ以上のサイトである。
【００２９】
前記サーバー３０は検索モジュール３１、検索結果ＤＢ３２、検索結果記憶モジュール３３、フィルタリングモジュール３４及びディスプレイモジュール３５を含む。
【００３０】
前記検索モジュール３１は、前記端末機１０の要請によって前記Ｗｅｂサイト２０を検索する。前記検索モジュール３１は、前記端末機１０に入力されたキーワードをもって前記Ｗｅｂサイト２０を直接検索することもでき、Yahoo、Simmani、Empas、Lycosなどのような検索エンジンを介してＷｅｂサイト２０を検索するようにすることもできる。
【００３１】
前記検索結果ＤＢ３２は検索された結果を記憶する。前記検索結果ＤＢ３２は好ましくはサイト名、ＵＲＬ、サイトに対する説明などを含むフィールドを有する。
【００３２】
前記検索結果記憶モジュール３３は前記検索モジュール３１によって検索された検索結果を前記検索結果ＤＢ３２に記憶する。
【００３３】
前記フィルタリングモジュール３４は、前記検索結果ＤＢ３２に記憶された検索結果のうち同一のＷｅｂサイトがある場合には、これを除去し、その結果を前記検索ＤＢ３２に再び記憶する役割を果たす。例えば、ＵＲＬが同一の場合には、いずれか一つの検索結果のみを残して残りは削除する。これと同様に、サイト名が同一の場合にも、いずれか一つの検索結果のみを残して残りは削除する。同じＵＲＬ又は同じサイト名の検索結果が５つ出た場合には、前記フィルタリングモジュール３４は検索結果のうち只一つのみを残し、５つのサイトに対する説明を合わせて一つの検索結果として検索結果ＤＢ３２に再び記憶する。
【００３４】
前記フィルタリングモジュール３４は本発明の必須構成要素ではない。
【００３５】
前記ディスプレイモジュール３５は、前記検索結果ＤＢ３２の検索結果を前記端末機１０にグラフィック化してディスプレイする機能を行う。
【００３６】
前記ディスプレイモジュール３５によってディスプレイされた状態は図４ａ〜図４ｄ、図５ａ〜図５ｄ及び図６ａ〜図６ｄに示す。
【００３７】
図３は本発明に係る検索結果ディスプレイ方法を説明するフローチャートである。
【００３８】
図３に示すように、本発明に係る検索結果ディスプレイ方法は、検索段階１００、検索結果記憶段階２００、フィルタリング段階３００及びディスプレイ段階４００を含む。
【００３９】
本発明に係るＷｅｂサイトにクライアントが接続してキーワードを入力すると（図３に図示せず）、サーバー（図２の３０）は前記検索段階１００で前記キーワードをもってインタネット網に連結されたＷｅｂサイトを検索する。前記検索段階１００において、サーバー３０は入力されたキーワードをもって前記Ｗｅｂサイト２０を直接検索することもでき、Yahoo、Simmani、Empas、Lycosなどの検索エンジンを介して前記Ｗｅｂサイト２０を検索するようにすることもできる。
【００４０】
前記検索結果記憶段階２００において、サーバー３０は前記検索段階１００で検索された結果を検索結果ＤＢ（図２の３２）に記憶する。
【００４１】
前記フィルタリング段階３００において、サーバー３０は前記検索結果記憶段階２００で記憶された検索結果をフィルタリングする。即ち、サーバー３０は前記検索結果ＤＢ３２に記憶された検索結果のうち同一のＷｅｂサイトがある場合にはこれを除去し、さらに前記検索結果ＤＢ３２に記憶する。例えば、ＵＲＬが同一の場合にはいずれか一つの検索結果のみを残して残りは削除する。これと同様に、サイト名が同一の場合にもいずれか一つの検索結果のみを残して残りは削除する。同じＵＲＬまたはサイト名の検索結果が５つ出た場合には、サーバー３０は検索結果のうち只一つのみを残し、５つのサイトに対する説明を合わせて一つの検索結果として検索結果ＤＢ３２に記憶する。
【００４２】
前記フィルタリング段階３００は、本発明の必須構成要素ではない。
前記ディスプレイ段階４００において、サーバー３０は前記検索結果記憶段階２００またはフィルタリング段階３００で前記前記検索結果ＤＢ３２に記憶された検索結果を、クライアントに見せるためにディスプレイする。
【００４３】
前記ディスプレイ段階４００を詳細に説明すると、まず、サーバー３０は前記検索結果のうち最上位段階の１段階カテゴリをディスプレイする（４１０）。その後、サーバー３０は各カテゴリ別アクセス比率を算出し、算出された前記アクセス比率をディスプレイする（４２０）。クライアントは表示された前記カテゴリのうちいずれか一つの項目を選択することができる。前記４２０段階は必須構成要素ではないため、省略することができる。
【００４４】
クライアントが４回の選択をして、サーバー３０が第５段階のカテゴリをディスプレイしたと仮定する場合、サーバー３０は前記第５段階が最下位段階であるかを判断（４３０）して、最下位段階でない場合にはクライアントが上位段階または下位段階のカテゴリを選択（４４０または４５０）するようにし、前記４１０段階に戻る。一方、前記４３０段階で前記第５段階が最下位段階であると判断される場合、サーバー３０は、クライアントが前記第５段階のカテゴリのうちいずれか一つの項目を選択すると、補助窓をディスプレイ（４６０）し、前記項目に該当するＷｅｂサイト（またはＷｅｂサイトのリスト）を前記補助窓に出力する。クライアントが前記補助窓のＷｅｂサイトのうちいずれか一つを選択する（４７０）と、サーバーは前記補助窓または他の補助窓に、前記選択したＷｅｂサイトに関する情報を出力（４８０）する。
【００４５】
以下、サーバー３０の前記ディスプレイモジュール３５によって行われるディスプレイ段階４００を本発明の実施例によってより詳細に説明する。ところが、これらの実施例は例示的な目的で開示したもので、本発明がこれらの実施例に限定されるのではない。
【００４６】
（参考例）
図４ａ〜図４ｄは本発明の参考例に係る画面構成を示す図である。
本参考例において、検索語は韓国語
【外４】
【００４７】
2007066331.tif 000006
【００４８】
（「horse」または「language」と英訳される）である。まず、図４ａに示すように、グラフの中央にキーワードの韓国語
【外５】
【００４９】
2007066331.tif 000007
【００５０】
が表示されており、第１段階カテゴリの項目である動物項目、言語項目、その他の項目が前記キーワードの周りにグラフで表現される。前記各項目と並行して表示された百分率はそれぞれの項目に対するクリック率を示している。前記クリック率は本発明の必須要素ではないため、省略可能である。クライアントがマウスで前記動物項目をクリックすると、図４ｂがディスプレイされる。
【００５１】
図４ｂは前記図４ａにおいてクライアントが動物項目をクリックした場合に表示される画面であり、第１段階カテゴリの外郭に第２段階カテゴリがディスプレイされる。第２段階カテゴリは動物園、競馬、病院、乗馬など４つの項目がある。前述したように、百分率はそれぞれの項目に対するクリック率である。クライアントが前記項目のうち乗馬項目
をクリックすると、図４ｃが移動する。
【００５２】
図４ｃは前記図４ｂにおいてクライアントが乗馬項目をクリックした場合に表示される画面であり、第２段階の外郭に第３段階カテゴリがディスプレイされる。第３段階カテゴリは情報、機関及び団体、個人及び同好会、レジャーなど４つの項目がある。クライアントが前記項目のうちレジャー項目をクリックすると、図４ｄに移動する。
【００５３】
図４ｄは前記図４ｃにおいてクライアントがレジャー項目をクリックした場合に表示される画面であり、第３段階カテゴリの外郭に第４段階カテゴリがディスプレイされる。第４段階カテゴリにはクラブとレジャー用品項目がある。クライアントがクラブ項目をクリックすると、画面の下部に補助窓がディスプレイされ、補助窓の左側にクラブの名称がディスプレイされる。クライアントが前記クラブのうち例えばライオンズレースコース(Lions Racecourse)をクリックすると、前記補助窓の右側に、関連したＵＲＬと説明がディスプレイされる。
【００５４】
（実施例１）
図５ａ〜図５ｄは本発明の一実施例に係る画面構成を示す図である。
【００５５】
実施例１は構成において参考例とほぼ同様でる。但し、参考例で表わされているクリック率は表示されず、参考例では主円の領域を多数の副領域に分割してその上に各項目を表示したが、実施例１では主円の円周上に小さい円を描いてその傍に各項目を表示した。
【００５６】
（実施例２）
図６ａ〜図６ｄは本発明の他の実施例に係る画面構成を示す図である。
【００５７】
実施例２は構成において参考例または実施例１とやや異なる。実施例２においても、最初は、実施例１と同様に、図６ａに示すように、主円の円周に小さい円を描いてその傍に各項目をディスプレイする。図６ａでは最初から補助窓がディスプレイされるように構成されているが、省略することもある。
【００５８】
クライアントが図６ａにおいて動物項目をクリックすると、図６ｂに移動する。図６ｂによれば、第２段階カテゴリが動物園、競馬、病院、乗馬など４つの項目で表示されている。また、上位段階カテゴリまたは第１段階カテゴリから選択された項目のみが主円の内部に選択された位置に表示される。以下、図６ｃまたは図６ｄにおいても同じディスプレイ過程が行われる。
【００５９】
本発明の好ましい実施例は説明の目的で円形グラフを採用したが、本発明の属する分野の当業者には、本発明の範囲及び精神から逸脱せずに、検索結果を表示するために六角形、四角形または八角形グラフまたは多様な図形が混合されたグラフを採用することが可能なことは明らかなことである。
【００６０】
本発明の好適な具体例が例示的な目的で開示されたが、本発明の属する分野の当業者には特許請求の範囲に開示された本発明の範囲及び精神から外れずに様々な変形、追加及び取替が可能なのは明らかなことである。
【００６１】
好ましくは、前記ディスプレイモジュールは、前記端末機の画面に多角形または円形のｎ番目の図形を配置させ、前記ｎ番目の図形にｎ段階カテゴリを表示し、前記ｎ番目の図形の外郭に多角形または円形のｎ＋１番目の図形を配置させ、前記ｎ番目の図形と前記ｎ＋１番目の図形との間にｎ＋１段階カテゴリを表示することもできる。
【００６２】
また、前記ディスプレイモジュールは、前記ｎ番目の図形の内側に多角形または円形の他の図形を配置させ、前記他の図形内にキーワードを表示することもできる。
【００６３】
また、前記ディスプレイモジュールは、前記カテゴリのアクセス比率またはアクセス数と共に前記ｎ段階またはｎ＋１段階カテゴリを表示することもできる。
また、前記ディスプレイモジュールは、前記ｎ＋１段階カテゴリが最下位カテゴリの場合、前記ｎ＋１段階カテゴリのうちいずれか一つのカテゴリが選択されると、前記カテゴリに該当するＷｅｂサイトのリストを補助窓の特定の部分にディスプレイすることもできる。
【００６４】
また、前記ディスプレイモジュールは、前記Ｗｅｂサイトリストのうちいずれか一つのＷｅｂサイトが選択されると、前記Ｗｅｂサイトに該当する情報を前記補助窓の別の部分または他の補助窓にディスプレイすることもできる。
【００６５】
好ましくは、前記ディスプレイ段階ｃ）は、前記端末機の画面に多角形または円形のｎ番目の図形を配置させ、前記ｎ番目の図形にｎ段階カテゴリを表示し、前記ｎ番目の図形の外郭に多角形または円形のｎ＋１番目の図形を配置させ、前記ｎ番目の図形と前記ｎ＋１番目の図形との間にｎ＋１段階カテゴリを表示する段階をさらに含むこともできる。
【００６６】
前記ディスプレイ段階ｃ）は、前記ｎ番目の図形の内側に多角形または円形の他の図形を配置させ、前記他の図形の内部にキーワードを表示する段階をさらに含むこともできる。
【００６７】
前記ディスプレイ段階ｃ）は、前記カテゴリのアクセス比率またはアクセス数と共に前記ｎ段階またはｎ＋１段階カテゴリを表示する段階をさらに含むこともできる。
【００６８】
前記ディスプレイ段階ｃ）は、前記ｎ＋１段階カテゴリが最下位カテゴリの場合、前記ｎ＋１段階カテゴリのうちいずれか一つのカテゴリが選択されると、前記カテゴリに該当するＷｅｂサイトのリストを補助窓の特定の部分にディスプレイする段階をさらに含むこともできる。
【００６９】
前記ディスプレイ段階ｃ）は、前記Ｗｅｂサイトリストのうちいずれか一つのＷｅｂサイトが選択されると、前記Ｗｅｂサイトに該当する情報を前記補助窓の別の部分または他の補助窓にディスプレイする段階をさらに含むこともできる。
【産業上の利用可能性】
【００７０】
以上述べたように、本発明は、検索結果をクライアントの端末機にグラフィックで表示するための検索結果ディスプレイシステム及び方法を提供する。従って、クライアントは検索過程を一目で確認することができるとともに、上、下位カテゴリ間の移動が自由であり、速く且つ容易に検索結果を得ることができる。
【図面の簡単な説明】
【００７１】
【図１】従来のインタネット検索方法を説明するためのブラウザを示す図である。
【図２】本発明に係る検索結果ディスプレイシステムの構造を示す概略図である。
【図３】本発明に係る検索結果ディスプレイ方法を説明するためのフローチャートである。
【図４ａ】本発明の参考例に係る画面構成を示す図である。
【図４ｂ】本発明の参考例に係る画面構成を示す図である。
【図４ｃ】本発明の参考例に係る画面構成を示す図である。
【図４ｄ】本発明の参考例に係る画面構成を示す図である。
【図５ａ】本発明の一実施例に係る画面構成を示す図である。
【図５ｂ】本発明の一実施例に係る画面構成を示す図である。
【図５ｃ】本発明の一実施例に係る画面構成を示す図である。
【図５ｄ】本発明の一実施例に係る画面構成を示す図である。
【図６ａ】本発明の他の実施例に係る画面構成を示す図である。
【図６ｂ】本発明の他の実施例に係る画面構成を示す図である。
【図６ｃ】本発明の他の実施例に係る画面構成を示す図である。
【図６ｄ】本発明の他の実施例に係る画面構成を示す図である。
【図１】
2007066331.tif 000008
【図２】
2007066331.tif 000009
【図３】
2007066331.tif 000010
【図４ａ】
2007066331.tif 000011
【図４ｂ】
2007066331.tif 000012
【図４ｃ】
2007066331.tif 000013
【図４ｄ】
2007066331.tif 000014
【図５ａ】
2007066331.tif 000015
【図５ｂ】
2007066331.tif 000016
【図５ｃ】
2007066331.tif 000017
【図５ｄ】
2007066331.tif 000018
【図６ａ】
2007066331.tif 000019
【図６ｂ】
2007066331.tif 000020
【図６ｃ】
2007066331.tif 000021
【図６ｄ】
2007066331.tif 000022